【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
揮発性有機化合物を実質的に含まない加水分解不安定性ポリマーの水性分散液であって、生分解性ポリマーの粒子、安定剤、並びに場合により、水中の、粘度を増加させるレオロジー調整剤及びｐＨ緩衝剤からなる群から選択される１以上の成分からなり、前記安定剤がポリビニルアルコールからなり、前記生分解性ポリマーの粒子が生分解性ポリマーからなる、前記水性分散液。
【請求項２】
前記生分解性ポリマーがポリエステルである、請求項１に記載の水性分散液。
【請求項３】
前記ポリエステルが、ポリ乳酸（ＰＬＡ）、ポリマレート（ＰＭＡ）、ポリヒドロキシアルカノエート（ＰＨＡ）、ポリヒドロキシブチレート（ＰＨＢ）、ポリカプロラクトン（ＰＣＬ）、ポリエステルアミド（ＰＥＡ）、ポリヒドロキシバレレート（ＰＨＶ）、ポリヒドロキシヘキサノエート（ＰＨＨ）、脂肪族コポリエステル（ＰＢＳＡ）、ポリエチレンフラノエート（ＰＥＦ）、ポリブチレンスクシネート（ＰＢＳ）、ポリ（ポリセベート）（ＰＰＳ）、ポリグリコール酸、及びこれらの混合物からなる群から選択されるポリマーを含む、請求項２に記載の水性分散液。
【請求項４】
前記ポリエステルがポリ乳酸（ＰＬＡ）である、請求項２に記載の水性分散液。
【請求項５】
前記生分解性ポリマーが、前記水性分散液の全重量を基準として５重量％〜９５重量％の量で存在する、請求項１〜４のいずれかに記載の水性分散液。
【請求項６】
前記安定剤が、前記水性分散液の全重量を基準として０．１重量％〜２５重量％の量で存在する、請求項１〜５のいずれかに記載の水性分散液。
【請求項７】
前記安定剤が、前記水性分散液の全重量を基準として０．５重量％〜１５重量％の量で存在する、請求項１〜６のいずれかに記載の水性分散液。
【請求項８】
前記レオロジー調整剤が、無機クレイ及びセルロース系多糖からなる群から選択される、請求項１〜７のいずれかに記載の水性分散液。
【請求項９】
前記レオロジー調整剤が、前記水性分散液の全重量を基準として０．０１重量％〜５重量％の量で存在する、請求項１〜８のいずれかに記載の水性分散液。
【請求項１０】
前記レオロジー調整剤が、前記水性分散液の全重量を基準として０．１重量％〜３重量％の量で存在する、請求項１〜９のいずれかに記載の水性分散液。
【請求項１１】
前記レオロジー調整剤がバイオポリマー系多糖を含む、請求項１〜１０のいずれかに記載の水性分散液。
【請求項１２】
前記バイオポリマー系多糖がキサンタンガムを含む、請求項１１に記載の水性分散液。
【請求項１３】
前記生分解性ポリマーの粒子の前記粒子が２５ｎｍ〜６００μｍの平均径を有する、請求項１〜１２のいずれかに記載の水性分散液。
【請求項１４】
前記ｐＨ緩衝剤が弱酸と塩基の塩からなる群から選択される、請求項１〜１３のいずれかに記載の水性分散液。
【請求項１５】
前記ｐＨ緩衝剤が、前記水性分散液の全重量を基準として０．０１重量％〜１重量％の量で存在する、請求項１〜１４のいずれかに記載の水性分散液。
【手続補正２】
【補正対象書類名】明細書
【補正対象項目名】００９６
【補正方法】変更
【補正の内容】
【００９６】
[00110]本発明を詳細に且つその具体的な態様を参照して記載したが、添付の特許請求の範囲において規定される発明の範囲から逸脱することなく修正及びバリエーションが可能であることは明らかであろう。より具体的には、本発明の幾つかの形態を本明細書において好ましいか又は特に有利なものとして特定しているが、本発明は必ずしもこれらの発明の好ましい形態に限定されないと意図される。
本発明の具体的態様は以下のとおりである。
[１]
揮発性有機化合物を実質的に含まない加水分解不安定性ポリマーの水性分散液であって、水中の前記加水分解不安定性ポリマーの粒子及び安定剤を含む、前記水性分散液。
[２]
前記加水分解不安定性ポリマーが生分解性ポリマーを含む、[１]に記載の水性分散液。
[３]
前記生分解性ポリマーがポリエステルを含む、[２]に記載の水性分散液。
[４]
前記ポリエステルが、ポリ乳酸（ＰＬＡ）、ポリマレート（ＰＭＡ）、ポリヒドロキシアルカノエート（ＰＨＡ）、ポリヒドロキシブチレート（ＰＨＢ）、ポリカプロラクトン（ＰＣＬ）、ポリエステルアミド（ＰＥＡ）、ポリヒドロキシバレレート（ＰＨＶ）、ポリヒドロキシヘキサノエート（ＰＨＨ）、脂肪族コポリエステル（ＰＢＳＡ）、ポリエチレンフラノエート（ＰＥＦ）、ポリブチレンスクシネート（ＰＢＳ）、ポリ（ポリセベート）（ＰＰＳ）、及びポリグリコール酸からなる群から選択されるポリマーを含む、[３]に記載の水性分散液。
[５]
前記ポリエステルがポリ乳酸（ＰＬＡ）を含む、[３]に記載の水性分散液。
[６]
前記加水分解不安定性ポリマーが、前記水性分散液の全重量を基準として約５重量％〜約９５重量％の量で存在する、[１]〜[５]のいずれかに記載の水性分散液。
[７]
前記加水分解不安定性ポリマーが、前記水性分散液の全重量を基準として約５０重量％〜約９０重量％の量で存在する、[１]〜[６]のいずれかに記載の水性分散液。
[８]
前記安定剤が、ポリビニルアルコール、ポリエチレングリコール、セルロース系多糖、バイオポリマー系多糖、合成炭化水素ポリマー、鹸化脂肪酸、アクリルコポリマー、ポリアクリレートアンモニウム塩、ポリエーテルカルボキシレートポリマー、及び塩基中和エチレンアクリル酸コポリマーからなる群から選択される、[１]〜[７]のいずれかに記載の水性分散液。
[９]
前記安定剤がポリビニルアルコールを含む、[１]〜[８]のいずれかに記載の水性分散液。
[１０]
前記加水分解不安定性ポリマーがポリ乳酸を含み、前記安定剤がポリビニルアルコールを含む、[１]〜[９]のいずれかに記載の水性分散液。
[１１]
前記安定剤が、前記水性分散液の全重量を基準として約０．１重量％〜約２５重量％の量で存在する、[１]〜[１０]のいずれかに記載の水性分散液。
[１２]
前記安定剤が、前記水性分散液の全重量を基準として約０．５重量％〜約１５重量％の量で存在する、[１]〜[１１]のいずれかに記載の水性分散液。
[１３]
前記分散液がレオロジー調整剤を更に含む、[１]〜[１２]のいずれかに記載の水性分散液。
[１４]
前記レオロジー調整剤が、無機クレイ、セルロース系多糖、合成炭化水素ポリマー、ポリオレフィン性スルホネート及びそのコポリマー、ポリビニルピロリドン、ポリスチレンと無水マレイン酸のコポリマー、ポリメチレンエーテルと無水マレイン酸のコポリマー、バイオポリマー系多糖、アクリルコポリマー、ポリアクリレートアンモニウム塩、ポリエーテルカルボキシレートポリマー、及び塩基中和エチレンアクリル酸コポリマーからなる群から選択される、[１３]に記載の水性分散液。
[１５]
前記レオロジー調整剤が、前記水性分散液の全重量を基準として約０．０１重量％〜約５重量％の量で存在する、[１３]又は[１４]に記載の水性分散液。
[１６]
前記レオロジー調整剤が、前記水性分散液の全重量を基準として約０．１重量％〜約３重量％の量で存在する、[１３]又は[１４]に記載の水性分散液。
[１７]
前記レオロジー調整剤がバイオポリマー系多糖を含む、[１３]〜[１６]のいずれかに記載の水性分散液。
[１８]
前記バイオポリマー系多糖がキサンタンガムを含む、[１７]に記載の水性分散液。
[１９]
前記加水分解不安定性ポリマーの前記粒子が約２５ｎｍ〜約６００μｍの平均径を有する、[１]〜[１８]のいずれかに記載の水性分散液。
[２０]
ｐＨ緩衝剤を更に含む、[１]〜[１９]のいずれかに記載の水性分散液。
[２１]
前記ｐＨ緩衝剤が弱酸と塩基の塩からなる群から選択される、[２０]に記載の水性分散液。
[２２]
前記ｐＨ緩衝剤が、前記水性分散液の全重量を基準として約０．０１重量％〜約１重量％の量で存在する、[２０]又は[２１]に記載の水性分散液。